(57)【特許請求の範囲】
【請求項１】
無線コントローラにて操縦される車両と、車両のガレージとを備える車両玩具であって、ガレージには電源端子が設けてあり、車両には受電端子が設けてあり、車両がガレージに収納されたときにガレージの電源端子に車両の受電端子が接続されて車両の駆動用電力が充電され、更に車両には保冷又は保温を行う収納庫を積載してあることを特徴とする車両玩具。
【請求項２】
収納庫はペルチェ素子を備え、車両がガレージに収納されているときにペルチェ素子に電力が供給されて収納庫が冷却又は加温されることを特徴とする請求項１に記載の車両玩具。
【請求項３】
ガレージは変圧器を備え、変圧器に供給された所定電圧の電力を収納庫用の電力の電圧と、車両の駆動用電力の電圧との２つの電圧を供給することを特徴とする請求項２に記載の車両玩具。
【請求項４】
ガレージの電源端子及び車両の受電端子は、ガレージの底面から間隔をあけて設けられていることを特徴とする請求項１乃至３のいずれかに記載の車両玩具。
【請求項５】
ガレージには、家庭用商用電力からの受電口と、自動車の電力からの受電口とが設けられており、各受電口の形状が異なることを特徴とする請求項１乃至４のいずれかに記載の車両玩具。
【請求項６】
車両の前面には、充電中表示ランプと、保冷庫の残留電力表示ランプと、車両駆動用残留電力の表示ランプとが設けてあり、各電力の残存状態を別個に表示することを特徴とする請求項２乃至５のいずれかに記載の車両玩具。
【請求項７】
ガレージの電源端子及び車両の受電端子とは車両の車幅方向における略中央に設けてあり、ガレージの内側面は車両を略中央に案内するように奥側ほど車両の収納幅を狭めていることを特徴とする請求項１乃至６のいずれかに記載の車両玩具。
【請求項８】
ガレージの入口には補助プレートが取り付けられており、補助プレートは車両をガレージの入口に向けて案内する案内手段を有することを特徴とする請求項１乃至７のいずれかに記載の車両玩具。
【請求項９】
案内手段は、車両に設けられた係合部材を案内する溝であり、溝の幅をガレージの奥に向けて狭めていることを特徴とする請求項８に記載の車両玩具。
【請求項１０】
収納庫は、側面部を上方に向けて回動することにより開く開閉機構と、開き状態を保持するための係止部材とを備え、係止部材は回動により収納庫内に収納可能であることを特徴とする請求項１乃至９のいずれかに記載の車両玩具。
【請求項１１】
収納庫の開閉機構をコントローラにより制御することを特徴とする請求項１乃至１０のいずれかに記載の車両玩具。
【発明の詳細な説明】
【０００１】
【発明の属する技術分野】
本発明は、無線コントローラにより操縦される車両玩具であって、保温または保冷機能を備えた収納庫を備えた車両玩具に関する。
【０００２】
【従来の技術】
一般に、無線コントローラにより自動車玩具（車両）を操縦する車両玩具が知られている。この種の車両玩具は、車両に乾電池を搭載しており、乾電池が充電可能なものである場合には、車両から充電用乾電池を取り出して別途充電器にて乾電池を充電するようになっている。一方、飲料や食品等を収納してこれらを保冷又は保温する収納庫が公知である。
【０００３】
【発明が解決しようとする課題】
しかし、無線コントローラにて走行を操縦する車両玩具と、飲料や食品等を収納して保冷又は保温する収納庫は別体のものであり、これらを併せ持つものは従来なかった。即ち、車両玩具を無線コントローラの操作により移動して楽しむものはあったが、保冷や加温する収納庫が移動したり走行するものはなく、保冷や保温機能を備える収納庫は手で持ち運んだり、所定の場所に固定しておくものに限られていた。
【０００４】
本発明は、子供から大人まで遊び心を満たすことができるとともに、無線コントローラの操作により保冷又は保温した飲料等を任意の場所まで運搬可能な車両玩具の提供を目的とする。
【０００５】
【課題を解決するための手段】
請求項１に記載の発明は、無線コントローラにて操縦される車両と、車両のガレージとを備える車両玩具であって、ガレージには電源端子が設けてあり、車両には受電端子が設けてあり、車両がガレージに収納されたときにガレージの電源端子に車両の受電端子が接続されて車両の駆動用電力が充電され、更に車両には保冷又は保温を行う収納庫を積載してあることを特徴とする。
【０００６】
この請求項１に記載の発明では、車両（以下、本明細書において「車両」とは「玩具の車両」を意味するものとする。）は無線コントローラによりその走行が操縦されるものであり、単に車両を走行させるほか、ガレージ内へ車両を納めたり、ガレージから出したりすることにより、遊び心を高めることができる。車両はガレージに納まると車両の受電端子がガレージの電源端子に接続されることにより、駆動に必要な電力が供給される。したがって、車両がガレージ内に納まっているときに車両に電力が充電されるので、別途充電操作が必要ない。
【０００７】
また、車両をガレージに納めることが必要になるので、無線コントローラの操作により車両をガレージ内にうまく納める操作を競ったり、操作技能を高めたりして遊び心を高めるものである。
【０００８】
【０００９】
更に、車両には収納庫が搭載されているので、この収納庫に缶コーヒーや缶ビール等の飲料や食品を収納して冷やす（又は温める）ことができる。収納庫に収めた飲料や食品等は無線コントローラで車両を操縦することにより、操縦者のいるところまで運んだり、他の人のところに運ぶことができ、冷えた（又は温めた）飲料等を任意の場所に運んで届けるという意外性が高く、遊び心を満喫することができる。換言すれば、冷蔵庫（又は温蔵庫）を無線操縦により任意の場所に移動させるという意外性の高いものである。更に、飲料等を冷やして（又は温めて）保管しておく場合には、飲料等を車両の収納庫に納めた後、無線コントローラにて車両を操縦し、ガレージに納める。
【００１０】
請求項２に記載の発明は、請求項１に記載の発明において、収納庫はペルチェ素子を備え、車両がガレージに収納されているときにペルチェ素子に電力が供給されて収納庫が冷却又は加温されることを特徴とする。
【００１１】
この請求項２に記載の発明では、請求項１に記載の発明と同様な作用効果を奏するとともに、収納庫はペルチェ素子により冷却又は加温されるので、小さい電力で冷却又は加温できるとともに構成が簡易であり、且つ電流の向きを切り替えることにより、冷却又は加温のいずれをも選択したり、切替も容易にできる。また、車両がガレージに収納されているときに、収納庫の冷却または保温用の電力が供給されるので、別途電源に接続したり電池等を必要とせず、利便性が高い。
【００１２】
請求項３に記載の発明は、請求項２に記載の発明において、ガレージは変圧器を備え、変圧器に供給された所定電圧の電力を収納庫用の電力の電圧と、車両の駆動用電力の電圧との２つの電圧を供給することを特徴とする。
【００１３】
この請求項３に記載の発明では、請求項２に記載の作用効果を奏するとともに、ガレージに供給された所定電圧の電力を変圧器で供給電圧を変えることにより、車両の駆動用電圧の電力と、収納庫の冷却（又は加温）に要求される電圧とが異なる場合にも、ガレージには一種類の電圧の電力を供給するだけで、車両の駆動用と収納庫用との電圧をそれぞれ供給できる。即ち、ガレージに供給する電力は、家庭用の商用電力から直接又はコンデンサを介して供給でき、電源への接続やセッティングが簡易にできる。
【００１４】
請求項４に記載の発明は、請求項１乃至３に記載の発明において、ガレージの電源端子及び車両の受電端子は、ガレージの底面から間隔をあけて設けられていることを特徴とする。
【００１５】
この請求項４に記載の発明では、請求項１乃至３のいずれかに記載の作用効果を奏するとともに、相互に接続されるべき電源端子及び受電端子はガレージの底面から離れているので、収納庫に生じた結露がガレージの底面に溜まった場合にもこれらの接続端子が結露水に触れてショートするのを防止できる。
【００１６】
請求項５に記載の発明は、請求項１乃至４のいずれかに記載の発明において、ガレージには、家庭用商用電力からの受電口と、自動車の電力からの受電口とが設けられており、各受電口の形状が異なることを特徴とする。
【００１７】
この請求項５に記載の発明では、請求項１乃至４のいずれかに記載の作用効果を奏するとともに、車両への充電は家庭用商用電力のみならず、自動車（例えば、シガレットヒータ）からの充電が可能であり、室外、例えば、自動車内で収納庫として用いたり、キャンプ等の野外活動で車両玩具を楽しむこともできる。
【００１８】
請求項６に記載の発明は、請求項２乃至５のいずれかに記載の発明において、車両の前面には、充電中表示ランプと、保冷庫の残留電力表示ランプと、車両駆動用残留電力の表示ランプとが設けてあり、各電力の残存状態を別個に表示することを特徴とする。
【００１９】
この請求項６に記載の発明では、請求項２乃至５のいずれかに記載の発明と同様作用効果を奏するとともに、使用者は収納庫用電力や車両駆動用電力の残存電力を知り、充電が必要か否かを容易に認識できる。また、車両がガレージに収納されて充電しているときにも、その充電状態が容易に認識できるとともにこれら三者の充電状態を同時に知ることができる。
【００２０】
請求項７に記載の発明は、請求項１乃至６のいずれか一項に発明において、ガレージの電源端子及び車両の受電端子とは車両の車幅方向における略中央に設けてあり、ガレージの内側面は車両を略中央に案内するように奥側ほど車両の収納幅を狭めていることを特徴とする。
【００２１】
この請求項７に記載の発明によれば、請求項１乃至６のいずれかに記載の発明と同様な作用効果を奏するとともに、車両がガレージに入り始めると、ガレージの幅が次第に狭くなって、車両の収納位置が案内されるので、操作者は車両をガレージに入れるだけで、車両の受電端子とガレージの電源端子とを容易に接続できる。
【００２２】
請求項８に記載の発明は、請求項１乃至７のいずれかに記載の発明において、ガレージの入口には補助プレートが取り付けられており、補助プレートは車両をガレージの入口に向けて案内する案内手段を有することを特徴とする。
【００２３】
この請求項８に記載の発明によれば、請求項１乃至７のいずれかに記載の発明と同様な作用効果を奏するとともに、ガレージの入口は狭いので車両が入り難いため無線コントローラによる操縦も難しいが、ガレージの入口に設けた補助プレートにより、ガレージ入口に近づいた車両は、補助プレートの案内手段に案内されて車両の姿勢が整えられてガレージ内に容易に収納でき、無線コントロールに高度な技術を必要せず、不慣れな者や子供でも車両を用意にガレージに納めることができる。
【００２４】
請求項９に記載の発明は、請求項８に記載の発明において、案内手段は、車両に設けられた係合部材を案内する溝であり、溝の幅をガレージの奥に向けて狭めていることを特徴とする。
【００２５】
この請求項９に記載の発明によれば、請求項８に記載の発明と同様な作用効果を奏するとともに、案内手段は車両の底面に設けた突部が溝により案内されてガレージに収納される車両の姿勢を整えるので、案内手段の構成が簡易である。
【００２６】
請求項１０に記載の発明は、請求項１乃至９のいずれかに記載の発明において、収納庫は、側面部を上方に向けて回動することにより開く開閉機構と開き状態を保持するための係止部材とを備え、係止部材は回動により収納庫内に収納可能であることを特徴とする。
【００２７】
この請求項１０に記載の発明によれば、請求項１乃至９のいずれかに記載の発明と同様な作用効果を奏するとともに、収納庫の側面部が蓋になっており、これを開けて収納物を出し入れするが、側面部を開いたときに係止部材により開状態を保持でき、収納物の出し入れがし易いとともに、出し入れ中に側面部が不意に落ちて閉まるのを防止できる。
【００２８】
請求項１１に記載の発明は、請求項１乃至１０のいずれかに記載の発明において、収納庫の開閉機構をコントローラにより制御することを特徴とする。
【００２９】
この請求項１１に記載の発明によれば、請求項１乃至１０のいずれかに記載の発明と同様な作用効果を奏するとともに、保冷庫の開閉も無線コントローラででき、意外性が高く且つ利便性も高い。
【００３０】
【発明の実施の形態】
以下に、添付図面を参照しながら本発明の実施の形態を詳細に説明する。図１は、本実施の形態にかかる車両玩具の全体的構成を示す斜視図であり、図２は車両がガレージに収納された状態を示す斜視図であり、図３は車両の収納庫が開いた状態を示す斜視図であり、図４は車両の正面図であり、図５は車両を上から見た平面図であり、図６は車両を横から見た側面図であり、図７は車両を後側から見た側面図であり、図８は車両の収納庫を冷却するための概略構成図であり、図９はガレージを正面から見た斜視図であり、図１０は補助プレートを装着したガレージを上から見た平面図であり、図１１は図１０に示すガレージに車両が納まった状態の側面図であり、図１２はガレージを後側から見た側面図である。
【００３１】
本実施の形態にかかる車両玩具１は、トラックの形態をした車両３と、この車両３が収納可能なガレージ５と、車両３の走行を操縦する無線コントローラ７とから構成されており、主に室内で用いるものである。車両３は、車両本体９に保冷又は保温機能を備えた収納庫１１が一体に搭載されており、車両本体９には、走行用のモータと駆動用充電池が設けられている。
【００３２】
車両本体９には、その前部（運転席を形取った部分）の正面に充電表示部１３が設けられており、充電表示部１３は、左から走行用電池の残量表示ランプ１５と、充填中（後述する）表示ランプ１７と、収納庫１１の保冷用電池の残量表示ランプ１９とが設けられており、車両３の正面から各電力の状態が一目でわかるようになっている。車両本体９の後端の下部には、受電端子２１が設けられており、この受電端子２１には後述する電源端子部２３が嵌合されて電気的に接続される。受電端子２１は断面が矩形であり、矩形の左右側に板バネ状の接続端子２５が配置されている。
【００３３】
また、車両本体９の後には、下に向けて突設する突起部材４９が設けてあり、後述する案内手段７１によりガレージ５内への収納を容易に案内されるようになっている。車両本体９は全体が硬質樹脂でできているが、障害物に衝突しやすい前端２７及び後端２９はそれぞれゴム材でできており、衝撃を緩和して破損が防止されている。
【００３４】
収納庫１１は、車両本体９と一体に構成されており、車両の前部３０と収納庫１１とは嵌合部材３１により嵌合して隙間が生じるのを防止し、外観を良好にしている。収納庫１１には、上面の略中央にヒンジ３３が設けてあり、ヒンジ３３により収納庫１１の側面部３５及び上半面部３７とが一体に回動して、収納庫１１を開閉するものであり、収納庫１１の側面部３５が開閉蓋になっている。尚、側面部３５にはその周囲にパッキンが取り付けられており、収納庫１１内を気密に保持している。側面部３５を開いた状態では、図３に示すように、収納庫１１内に収納空間３９が形成されており、この収納空間３９に缶コーヒや缶ビール等の缶入り飲料やその他の食品等が収納可能になっている。本実施の形態では、複数本の缶入り飲料４０が収納されている。
【００３５】
収納空間３９の周囲はアルミ材で囲まれており、収納空間３９の後ろ側に設けてある冷却手段４１によりアルミ材が冷却されて収納空間３９を冷却するようになっている。
【００３６】
ここで、図８を参照して冷却手段４１について説明する。冷却手段４１は、ペルチェ素子４３であり、電流の「＋」「−」の流れを換えることにより、冷却又は加温の制御ができる。尚、ペルチェ素子４３は、本実施の形態では、冷却用の制御としてある。このペルチェ素子４３にはフィン４５が取り付けてあり、空気に接触させて放熱を促しているとともに、収納庫１１の後端には空気の流通を図る孔４７が形成されている。尚、本実施の形態では、収納庫１１の側面部３５の開閉は手動で行うものであるが、無線コントローラ７の操縦により行うようにしてもよい。
【００３７】
また、収納庫１１の側面部３５の開き状態を保持するために、係止部材４９を設けてもよい。この場合には、収納物４０の出し入れの際に側面部３５を開いて手で押える必要がないので、収納物の出し入れを片手で容易に行うことができる。
【００３８】
次に、ガレージ５について説明する。ガレージ５は略箱型であり、車両３が収納した状態では、車両の一部（前部）がガレージ５からはみ出す寸法であり、車両がガレージ５内に完全に納まらないようになっている。ガレージ５の内側後端には、電源供給用の電源端子２３が設けられている。この電源端子２３はガレージの底面５３よりも少し上に位置しており、車両３に設けられている受電端子２１と嵌合して接続可能である。相互に接続されるべき電源端子２３及び受電端子２１はガレージの底面５３から離れているので、収納庫１１に結露が生じてガレージ５に水が溜まった場合にもこれらの受電端子２１及び電源端子２３が結露水に触れてショートするのを防止できる。
【００３９】
ガレージ５の後端の裏側には、幅方向の略中央にコンデンサの接続口５５が設けてあり、コンデンサは家庭用商用電源に接続されて電力を受け、所定電圧に変換してガレージの接続口５５を介して電源端子２３に電力を供給している。本実施の形態では、コンデンサの接続口５５は、丸型５７と矩形５９との２種類が設けてあり、一つの接続口５７は家庭用商用電源から電力を受けるコンデンサに接続される７．５Ｖ用の接続口であり、もう一つの接続口５９は、自動車のシガレットヒータから電力を受けるコンデンサに接続される１２Ｖ用の接続口である。即ち、本実施の形態では、家庭用商用電力から電力を得て家庭内で用いることができるとともに、自動車内に持ち込んで、自動車用の保冷庫（又は温冷庫）として用いることもできる。更に、キャンプ等の野外においても、自動車に搭載している電源を利用して本発明の車両玩具を用いることができ、広い範囲で活用することが可能である。
【００４０】
また、接続口５５の隣には、変圧器６１が設けてあり、接続口５５から受けた電力を保冷用の電圧（ペルチェ素子に供給する電圧）と、車両の駆動用電圧（モータ用電圧）との２つの電圧に変換して供給することができ、一つの電源から得た電力を２種類の電圧の電力にそれぞれ変換して車両に供給（充電する）ものである。尚、変圧器６１には、ファン６３が設けられており、変圧器６１の熱を放出して蓄熱を防止している。
【００４１】
ガレージ５内側の左右側面６５、６７は車両３を略中央に案内するように奥側ほど車両の収納幅を狭めており、入口側の幅寸法Ａに対して奥側の幅寸法Ｂになっている。このように奥側の寸法を次第に狭めることにより、車両３がガレージ内に入り始めると、ガレージ５の幅が次第に狭くなって、車両３の収納位置（収納姿勢）が案内されるので、操作者は車両３をガレージ５に入れるだけで、車両の受電端子２１とガレージ５の電源端子２３とを容易に接続でき、無線コントロール操作が簡単である。
【００４２】
更に、図１０及び図１１に示すように、ガレージ５の入口には補助プレート６９が脱着自在に取り付けられており、補助プレート６９は車両３をガレージ５の入口に向けて案内する案内手段７１が設けられている。案内手段７１は、車両３に設けられた突起４９を案内する溝であり、溝の幅をガレージ５の奥に向けて次第に狭めている。このように、案内手段７１を設けることにより、ガレージ５の入口は狭くなっており、車両３が入り難く無線コントローラ７による操縦も難しいが、ガレージ５の入口に設けた補助プレート６９により、ガレージ５の入口に近づいた車両３は、補助プレート６９の案内手段７１に案内されて車両３の姿勢が整えられてガレージ５内に容易に収納できる。
【００４３】
尚、ガレージの後端と上端にも通気穴７５が設けてあり、車両３の充電中の熱や収納庫１１の冷却中に生じる熱を放熱するようになっている。
【００４４】
本発明は、上述した実施の形態に限定されず、その要旨を逸脱しない範囲内において、種々の変形が可能である。例えば、車両３はトラックに限らず、バスやトレーラ等のその形状や形態は制限されるものではない。収納庫１１に切替スイッチを設けて保冷と加温とを切替により選択できるようにしてもよい。車両に設けた受電端子２１には、駆動用の受電端子と保冷用の受電端子とを別個に設けてもよい。
【００４５】
【発明の効果】
請求項１に記載の発明によれば、車両がガレージ内に納まっているときに車両に電力が供給されて充電されるので、従来にない意外性があり、且つ別途充電操作も必要ない。また、充電する場合には車両をガレージに納めることが必要になるので、無線コントローラの操作により車両をガレージ内にうまく納める操作を競ったり、操作能力を高めたりして遊び心を高めることができる。
【００４６】
また、車両に搭載された収納庫には缶飲料等を収納して冷やす（又は温める）ことができるので、無線コントローラで車両を操縦することにより、冷えた（又は温めた）缶飲料等を操縦者のいるところまで運んだり、他の人のところに運ぶことができ、冷えた（又は温めた）飲料等を任意の場所に運んで届けるという意外性が高く、遊び心を満喫することができる。換言すれば、冷蔵庫（又は温蔵庫）を無線操縦により任意の場所に移動させるという意外性の高いものである。
【００４７】
請求項２に記載の発明によれば、請求項１に記載の発明と同様な効果を奏するとともに、収納庫はペルチェ素子により冷却又は加温されるので、小さい電力で冷却又は加温できるとともに構成が簡易であり、且つ電流の向きを切り替えることにより、冷却又は加温のいずれをも選択したり、切替も容易にできる。また、車両がガレージに収納されているときに、収納庫の冷却または保温用の電力が供給されるので、別途電源に接続したり電池等を必要とせず、利便性が高い。
【００４８】
請求項３に記載の発明によれば、請求項２に記載の効果を奏するとともに、ガレージに供給された所定電圧の電力を変圧器で供給電圧を変えることにより、車両の駆動用電圧の電力と、収納庫の要求電圧とが異なる場合にも、ガレージには一種類の電圧の電力を供給するだけで、車両の駆動用と収納庫用との電圧をそれぞれ供給でき、構成が簡易であるとともにセッティングを簡易にできる。
【００４９】
請求項４に記載の発明によれば、請求項１乃至３のいずれかに記載の効果を奏するとともに、相互に接続されるべき電源端子及び受電端子はガレージの底面から離れているので、収納庫生じた結露が底面に溜まってもこれらの接続端子が結露水に触れてショートするのを防止できる。
【００５０】
請求項５に記載の発明によれば、請求項１乃至４のいずれかに記載の効果を奏するとともに、車両への充電は家庭用商用電力のみならず、自動車（例えば、シガレットヒータ）からの充電が可能であり、室外、例えば、自動車内で収納庫として用いることもでき、更に、キャンプ等の野外活動で車両玩具を楽しむこともでき、使用範囲を広くできる。
【００５１】
請求項６に記載の発明によれば、請求項２乃至５のいずれかに記載の発明と同様の効果を奏するとともに、収納庫用電力や車両駆動用電力の残存電力や、ガレージでの充電状態を容易に認識できる。
【００５２】
請求項７に記載の発明によれば、請求項１乃至６のいずれかに記載の発明と同様な効果を奏するとともに、車両がガレージに入り始めると、ガレージの幅が次第に狭くなって、車両の収納位置が案内されるので、操作者は車両をガレージに入れるだけで、車両の受電端子とガレージの電源端子とを容易に接続できる。
【００５３】
請求項８に記載の発明によれば、請求項１乃至７のいずれかに記載の発明と同様な効果を奏するとともに、ガレージの入口に設けた補助プレートにより、ガレージ入口に近づいた車両は、補助プレートの案内手段に案内されて車両の姿勢が整えられてガレージ内に容易に収納でき、無線コントロールに高度な技術を必要せず、不慣れな者や子供でも車両を用意にガレージに納めることができる。
【００５４】
請求項９に記載の発明によれば、請求項８に記載の発明と同様な効果を奏するとともに、案内手段は車両の底面に設けた突部が溝により案内されてガレージに収納される車両の姿勢を整えるので、案内手段の構成が簡易である。
【００５５】
請求項１０に記載の発明によれば、請求項１乃至９のいずれかに記載の発明と同様な効果を奏するとともに、収納庫保の蓋である側面部を係止部材により開状態を保持でき、収納物の出入れがし易いとともに、蓋である側面部が不意に落ちて閉まるのを防止できる。
【００５６】
請求項１１に記載の発明によれば、請求項１乃至１０のいずれかに記載の発明と同様な効果を奏するとともに、保冷庫の開閉も無線コントローラででき、意外性が高く且つ利便性も高い。
【図面の簡単な説明】
【図１】本実施の形態にかかる車両玩具の全体的構成を示す斜視図である。
【図２】車両がガレージに収納された状態を示す斜視図である。
【図３】車両の収納庫が開いた状態を示す斜視図である。
【図４】車両の正面図である。
【図５】車両を上から見た平面図である。
【図６】車両を横から見た側面図である。
【図７】車両を後側から見た側面図である。
【図８】車両の収納庫を冷却するための概略構成図である。
【図９】ガレージを正面から見た斜視図である。
【図１０】補助プレートを装着したガレージを上から見た平面図である。
【図１１】図１０に示すガレージに車両が納まった状態の側面図である。
【図１２】ガレージを後側から見た側面図である
【符号の説明】
１      車両玩具
３      車両
５      ガレージ
７      無線コントローラ
９      車両本体
１１    収納庫
１３    充電表示部
２１    受電端子
２３    電源端子
４３    ペルチェ素子
４９    突起（係合部材）
５５、５７、５９  接続口
６１    変圧器
６５、６７ ガレージの内側面
７１    案内手段
【図１】
0003641784.tif 000002
【図２】
0003641784.tif 000003
【図３】
0003641784.tif 000004
【図４】
0003641784.tif 000005
【図５】
0003641784.tif 000006
【図６】
0003641784.tif 000007
【図７】
0003641784.tif 000008
【図８】
0003641784.tif 000009
【図９】
0003641784.tif 000010
【図１０】
0003641784.tif 000011
【図１１】
0003641784.tif 000012
【図１２】
0003641784.tif 000013